(57)【要約】【課題】配線作業中にあっても、記名板の指標の確認を容易に行うことができる記名板の保持構造の提供する。【解決手段】電線接続座列３の両側に側壁板２０，２０を配設し、該側壁板対２０，２０に、記名板の幅方向に沿った支持溝２１，１２を形成し、記名板３０の両端前縁に突設した支持軸３１，３１を、支持溝２１，２１に嵌合して、該支軸２１，２１を支持溝に沿って後方移動することにより、記名板を電線接続座列上から退避可能としたものであるから、かかる退避位置にあって、記名板３０が反転することはなく、その表面側は上方又は前方から視認可能に維持され、該表面側に形成された、各電線接続座２を示す指標３４を確認しながら配線作業を行うことが可能となり、配線作業を容易かつ確実に行うことができて、配線作業の効率化を達成でき、かつ配線間違いが回避される。【選択図】　図３
2004039403.tif 000002
【特許請求の範囲】
【請求項１】
リード線が接続する電線接続座が一方向に複数列設され、該電線接続座列上に各電線接続座を示す指標が表示された記名板を配設して、該記名板により電線接続座列上を覆うようにした集合端子台において、
電線接続座列の両側に側壁板を配設し、該側壁板対に、記名板の幅方向に沿った支持溝が同一高さで平行に形成され、記名板の両端前縁に、支持溝に嵌合する支軸を突設し、支軸を支持溝に沿って後方移動することにより、記名板を電線接続座列上から退避可能としたことを特徴とする集合端子台の記名板保持構造。
【請求項２】
記名板の両端後縁に、支持溝に対して離脱可能に係合する節度突部を突設し、該記名板を、節度突部の係合を解除することにより、支軸を支持溝に沿って後方移動可能としたことを特徴とする請求項１記載の集合端子台の記名板保持構造。
【発明の詳細な説明】
【０００１】
【発明の属する技術分野】
本発明は、リード線が接続する電線接続座が一方向に複数列設され、該電線接続座列上に記名板が配設される集合端子台にあって、その記名板保持構造に関する。
【０００２】
【従来の技術】
一方向に複数のリード線が接続する電線接続座が列設され、該電線接続座上に各電線接続座指標を表示する記名板を配設して、該記名板により電線接続座列上を覆うようにした集合端子台は種々提案されている。この電線接続座には、夫々プリント基板上等に形成された所要電路と接続する導通片が配設され、作業者は、この記名板に表示された指標に基づいて配線内容を確認し、各電線接続座の導通片へのリード線の結線作業を行うこととなる。
【０００３】
【発明が解決しようとする課題】
ところで、従来の記名板ａの保持構造は、図５で示すように、電線接続座列ｃの両側に配設した側壁板ｄに対して、後端に設けた回動軸ｂを嵌着して取り付け、電線接続座ｃにリード線を接続又は接続解除する場合には、その作業の邪魔とならないように、記名板あを回動軸ｂを中心として回動して起立させ、電線接続座列ｃ上を開放状態とするようにしている。
【０００４】
ところで、記名板ａの指標（図３参照）はその表面ｆ側に記載されているため、該記名板ａを後方回動して起立した状態では、該記名板ａが反転して表面が隠れ、指標が視認不能となってしまう。このため、配線作業にあっては、記名板ａを電線接続座列ｃを覆う遮蔽位置に戻して、指標を確認し、かつ起立状態の退避位置に戻す行為が度々必要となり、これにより作業が極めて面倒となって、非能率的であり、しかも確認を怠ることによる配線間違いも発生しがちであった。
本発明は、その配線作業中にあっても、記名板の指標の確認を容易に行うことができる記名板の保持構造の提供を目的とするものである。
【０００５】
【課題を解決するための手段】
本発明は、リード線が接続する電線接続座が一方向に複数列設され、該電線接続座列上に各電線接続座を示す指標が表示された記名板を配設して、該記名板により電線接続座列上を覆うようにした集合端子台において、電線接続座列の両側に側壁板を配設し、該側壁板対に、記名板の幅方向に沿った支持溝が同一高さで平行に形成され、記名板の両端前縁に、支持溝に嵌合する支軸を突設し、支軸を支持溝に沿って後方移動することにより、記名板を電線接続座列上から退避可能としたことを特徴とする集合端子台の記名板保持装置である。
【０００６】
かかる構成にあって、電線接続座にリード線を接続又は接続解除する場合には、記名板の支軸を支持溝に沿って後方移動する。これにより、電線接続座列上が開放状態となる。この場合にあって、記名板は反転することはなく、その表面側は上方又は前方から視認可能に維持される。このため、記名板を退避位置としても、その指標が確認可能となる。そこで、該指標を確認しながら配線作業を行うことが可能となり、配線間違いが回避される。
【０００７】
かかる構成にあって、記名板の両端後縁に、支持溝に対して離脱可能に係合する節度突部を突設し、該記名板を、節度突部の係合を解除することにより、支軸を支持溝に沿って後方移動可能とした構成（請求項２）を適用することができる。
【０００８】
すなわち、電線接続座上を覆う遮蔽位置を安定的に保持し、かつ記名板の後方移動を可能とする構成に係るものである。かかる構成にあって、電線接続座にリード線を接続又は接続解除する場合には、記名板を節度突部の係合を解除した状態で、支軸を支持溝に沿って後方移動し、記名板を電線接続座列上から退避する。この場合に、記名板または側壁板に若干の弾性を付与することにより、節度突部の支持溝からの離脱及び再係合を簡易に行うことができる。
【０００９】
このほかの、記名板の遮蔽位置を保持する手段として、側壁板間に記名板の後縁を係止する支持面を配設したり、側壁板間で記名板の両縁を挟持するなどの手段が提案される。
【００１０】
【発明の実施の形態】
本発明の実施例を、図１〜図４に従って説明する。
集合端子台は、長尺な矩形状に形成され、その本体ケース１は主筺体１ａと、該主筺体１ａの下部を覆う底部筺体１ｂとからなる。この主筺体１ａと底部筺体１ｂはビス４により一体に組み付けられる。主筺体１ａの上部面には長手方向に沿って上下二段に列設された複数の電線接続座２からなる電線接続座列３が設けられている。すなわち、この電線接続座列３は、後述する側壁板２０，２０間１に配設され、主筺体１ａの一部を構成する二段の配線棚部２２に、隔壁２２を介して電線接続座２を列設することにより構成されるものである。
【００１１】
電線接続座２は、図２で示すように、Ｌ形導電片５に接続用ボルト６を螺合して、接続用ボルト６の頸部に外嵌した、ワッシャー７と、該Ｌ形導電片５の上面間でリード線の導線を挟持して、Ｌ形導電片５と電気的に接続している。
【００１２】
一方、主筺体１ａの底面には、プリント基板８が嵌着されており、そのスルホールに、Ｌ形導電片５が挿入されている。すなわち、各Ｌ形導電片５は、夫々プリント基板８上の所要電路と接続されるものである。このため、電線接続座２へのリード線の接続は、所要のものを適切に行わなければならない。
【００１３】
この本体ケース１は、図２で示すように、支持レール１０に装着される。この支持レール１０は、断面略コ字形に形成され、長手方向に沿う両側縁１２，１２から一対の係合縁１３，１３が幅方向に沿って外側方へ夫々突成されており、本体ケース１の下底面に形成されたレール係止爪１１、１１と係合する。
【００１４】
次に本発明の要部につき説明する。
電線接続座列３の両側には側壁板２０，２０が立設される。そして、図３で示すように、該側壁板対２０，２０間に、記名板３０が配設されることとなる。本発明は、かかる記名板３０の保持構造に関するものである。ここでこの記名板３０には、記名カード３３が表面側に装着される。この記名カード３３には、各電線接続座２に対応する記号などの指標３４が記載され、この指標３４によって、各電線接続座２の識別を容易とするようにしている。
【００１５】
ここで、側壁板対２０，２０の上端部には、遮蔽位置にある記名板３０の幅方向に沿った支持溝２１，２１が同一高さで平行に形成されている。一方、記名板３０の両端前縁に、支持溝２１，２１に嵌合する支軸３１，３１を突設し、かつ記名板の両端後縁に、支持溝２１，２１に対して離脱可能に係合する節度突部３２，３２を突設している。
【００１６】
これにより、記名板３０は、図１で示すように、支持溝２１，２１に支軸３１，３１及び節度突部３２，３２を嵌合した状態で、水平上に横臥して、電線接続座列３を安定的に覆う。この遮蔽位置で、記名板３０の表面に印字された指標３４が上方から視認可能となる。
【００１７】
一方、各接続座３にリード線を接続する場合には、記名板３０の撓みを利用して、その後縁の節度突部３２，３２を支持溝２１，２１から離脱させる。これにより、記名板３０は、支軸３１，３１のみが支持溝２１，２１に嵌合した状態となり、回動可能となる。そして、記名板３０を起立させた状態（図１鎖線参照）で、図４矢線で示すように、その支軸３１，３１を支持溝２１，２１に沿って、後方へ摺動させる。これにより、電線接続座列３上から、記名板３０が退避し、開放される。このように記名板３０が後方へ退避した状態で、該記名板３０の下面は、配線棚部２２の上面により支持される。このため、図４鎖線で示すように、水平に横臥した状態を維持される。
【００１８】
このように、かかるる構成にあっては、この記名板３０が後方へ退避した状態にあって、該記名板３０は反転した状態となっていないから、その上面には指標３４が表れて、作業者にその視認が可能となる。
【００１９】
このため、電線接続座２へのリード線の接続作業を、記名板３０の指標３４を確認しながら実行することができる。このため、該接続作業を確実に行うことができ、配線違いを容易に回避することができる。
【００２０】
上述の構成にあって、記名板３０は、遮蔽位置で、節度突部３２，３２が支持溝２１，２１に嵌合しているため、安定的にその水平に横臥した状態が確保される。一方、かかる構成を省略しても、記名板３０の下面は、配線棚部２２の上面により支持されるため、その水平横臥状態に維持される。その他、かかる状態を保持するため、記名板３０の両端縁を側壁板対２０，２０で挟持する構成としても良い。
【００２１】
【発明の効果】
本発明は、電線接続座列の両側に側壁板を配設し、該側壁板対に、記名板の幅方向に沿った支持溝を形成し、記名板の両端前縁に突設した支持軸を、支持溝に嵌合して、該支軸を支持溝に沿って後方移動することにより、記名板を電線接続座列上から退避可能とした（請求項１）ものであるから、かかる退避位置にあって、記名板が反転することはなく、その表面側は上方又は前方から視認可能に維持され、該表面側に形成された、各電線接続座を示す指標を確認しながら配線作業を行うことが可能となり、配線作業を容易かつ確実に行うことができて、配線作業の効率化を達成でき、かつ配線間違いが回避される。
【００２２】
また、記名板の両端後縁に、支持溝に対して離脱可能に係合する節度突部を突設し、該記名板を、節度突部の係合を解除することにより、支軸を支持溝に沿って後方移動可能とした構成（請求項２）にあっては、記名板を、電線接続座上を覆う遮蔽位置に、安定的に保持することができる。
【図面の簡単な説明】
【図１】本発明にかかる集合端子台の平面図である。
【図２】本発明にかかる集合端子台の縦断側面図である。
【図３】要部の斜視図である。
【図４】記名板３０の退避位置を示す要部の縦断側面図である。
【図５】従来構成の記名板保持構造を示す縦断側面図である。
【符号の説明】
１　本体ケース
２　電線接続座
３　電線接続座列
２０　側壁板
２１　支持溝
３０　記名板
３１　支軸
３２　節度突部
３４　指標
【図１】
2004039403.tif 000003
【図２】
2004039403.tif 000004
【図３】
2004039403.tif 000005
【図４】
2004039403.tif 000006
【図５】
2004039403.tif 000007